(57)【特許請求の範囲】
【請求項１】
本体ケースに空気調和手段と、この空気調和手段の運転モードを表示する発光表示部とを設け、この発光表示部は、孔である第１のガイド部と、この第１のガイド部の一方側の開口から挿入される点光源である発光部と、前記第１のガイド部の内周面から外方に窪むと共に前記第１のガイド部における他方側が開口した穴である第２のガイド部と、前記第１のガイド部および前記第２のガイド部の他方側の開口を塞ぐシート部とから形成し、このシート部は、前記第２のガイド部の他方側の開口と対向した部分に前記発光部の光を透光する透光部を備えたことを特徴とする空気調和機。
【請求項２】
前記第２のガイド部の他方側の開口の大きさは、前記第１のガイド部の他方側の開口の大きさより小さい構成とした請求項１に記載の空気調和機。
【請求項３】
前記第２のガイド部の他方側の開口の大きさは、前記発光部の断面積より小さい構成とした請求項１または２に記載の空気調和機。
【請求項４】
前記第１のガイド部は、一方側の開口から他方側の開口へ徐々に広がったことを特徴とする請求項１から３のいずれかに記載の空気調和機。
【請求項５】
前記第２のガイド部は、一方側から他方側の開口へ徐々に広がったことを特徴とする請求項１から４のいずれかに記載の空気調和機。
【請求項６】
前記発光表示部が複数設ける場合に、前記第２のガイド部を一直線に並べ、これら前記第２のガイド部を中心に、前記第１のガイド部が互い違いに位置する構成とした請求項１から５のいずれかに記載の空気調和機。
【発明の詳細な説明】
【技術分野】
【０００１】
本発明は、発光表示部を備えた空気調和機に関する。
【背景技術】
【０００２】
従来のこの種の空気調和機の構成は以下のようになっていた。すなわち、本体ケースに空気調和手段と、この空気調和手段の運転モードを表示する発光表示部とを設け、この発光表示部は、孔である第１のガイド部と、この第１のガイド部の一方側の開口から挿入される点光源である発光部と、第１のガイド部の他方側の開口を塞ぐシート部とから形成し、シート部は、第１のガイド部の他方開口および発光部と対向した部分に発光部の光を透光する透光部を備えたことを特徴とする空気調和機。
【０００３】
（例えば、これに類似する先行文献は下記特許文献１に記載されている）。
【先行技術文献】
【特許文献】
【０００４】
【特許文献１】特開２００２−１４９０９８号公報
【発明の概要】
【発明が解決しようとする課題】
【０００５】
上記従来例における課題は、空気調和機の発光表示部の視認性の更なる向上ということであった。
【０００６】
すなわち、従来の物においては、発光部と対向した部分に透光部を有するので、点光源である発光部の大部分の光が直接、シート部の透光部を透光するものである。
【０００７】
これにより、発光部の照度が小さい場合には、透光部全体が光らず、透光部の一部、つまり中央部のみが光り発光表示部の視認性が悪いものであった。
【０００８】
そこで本発明は、空気調和機の視認性の更なる向上を目的とするものである。
【課題を解決するための手段】
【０００９】
そしてこの目的を達成するために本発明は、本体ケースに空気調和手段と、この空気調和手段の運転モードを表示する発光表示部とを設け、この発光表示部は、孔である第１のガイド部と、この第１のガイド部の一方側の開口から挿入される点光源である発光部と、前記第１のガイド部の内周面から外方に窪むと共に前記第１のガイド部における他方側が開口した穴である第２のガイド部と、前記第１のガイド部および前記第２のガイド部の他方側の開口を塞ぐシート部とから形成し、このシート部は、前記第２のガイド部の他方側の開口と対向した部分に前記発光部の光を透光する透光部を備えたことを特徴とするものである。
【００１０】
これにより、初期の目的を達成するものである。
【発明の効果】
【００１１】
以上のように本発明は、本体ケースに空気調和手段と、この空気調和手段の運転モードを表示する発光表示部とを設け、この発光表示部は、孔である第１のガイド部と、この第１のガイド部の一方側の開口から挿入される点光源である発光部と、前記第１のガイド部の内周面から外方に窪むと共に前記第１のガイド部における他方側が開口した穴である第２のガイド部と、前記第１のガイド部および前記第２のガイド部の他方側の開口を塞ぐシート部とから形成し、このシート部は、前記第２のガイド部の他方側の開口と対向した部分に前記発光部の光を透光する透光部を備えたことを特徴とする空気調和機であり、空気調和機の発光表示部の視認性の更なる向上ができるものである。
【００１２】
すなわち、第１のガイド部の内周面から外方に窪むと共に第１のガイド部における他方側が開口した穴である第２のガイド部と、第１のガイド部および第２のガイド部の他方側の開口を塞ぐシート部とから形成し、このシート部は、第２のガイド部の他方側の開口と対向した部分に発光部の光を透光する透光部を備えている。
【００１３】
これにより、発光部の照度が小さい場合にも、点光源である発光部の大部分の光が直接、シート部の透光部を透光するもので無く、点光源である発光部の大部分の光が、第１のガイド部および第２のガイド部の内周面で反射してシート部の透光部を透光するものである。
【００１４】
これらの結果により、透光部の一部、つまり中央部のみが光ることなく、透光部の全体が光るので、発光表示部の視認性の更なる向上ができるものである。
【図面の簡単な説明】
【００１５】
【図１】本発明の実施の形態１の空気調和機の概略図
【図２】同空気調和機の概略断面を示す図
【図３】同空気調和機の発光表示部を示す概略図
【図４】同空気調和機の発光表示部の概略断面を示す図
【図５】同空気調和機のカバー部を示す概略図
【図６】同空気調和機のシート部を示す概略図
【図７】同空気調和機のカバー部を示す概略図
【図８】同空気調和機のシート部を示す概略図
【発明を実施するための形態】
【００１６】
以下、本実施形態を添付図面を用いて説明する。
【００１７】
（実施の形態１）
本実施形態の空気調和機１は、図１、２に示すように、吸気口２と排気口３を有する縦長箱型の本体ケース４と、この本体ケース４に空気調和手段５と、操作部６と、運転モードを表示する発光表示部７とを備えている。本体ケース４の側面には吸気口２を設け、本体ケース４の天面の背面側には排気口３を設けている。
【００１８】
空気調和手段５の１例は、空気清浄手段８である。空気清浄手段８は、空気清浄フィルター９と送風手段１０とからなる。空気清浄手段８は蛇腹状に折られた濾材を額縁状の枠に固定された空気清浄フィルター９であり、吸気口２の近傍に設けられている。
【００１９】
送風手段１０は、空気清浄フィルター９と排気口３との間の風路に設けている。この送風手段１０によって本体の吸気口２から吸い込まれた空気は、空気清浄フィルター９を介して、本体ケース４の排気口３から室内へ送風される。すなわち、室内の空気は、空気清浄フィルター９で空気清浄されるものである。なお、空気調和手段５は、除湿、加湿、脱臭等を行なうものでもよい。
【００２０】
操作部６は、本体ケース４の天面に位置し、この操作部６を押すことによって運転モードが変化するものである。運転モードは、強、中、弱があり、送風手段１０の送風量が変化するものである。
【００２１】
発光表示部７は、本体ケース４の天面に位置し、送風手段１０の送風量である運転モードを表示する。
【００２２】
本実施形態における特徴は、発光表示部７の構造にある。図３、４、５、６に示すように、この発光表示部７は、第１のガイド部１１と、発光部１２と、第２のガイド部１３と、シート部１４とから構成している。
【００２３】
第１のガイド部１１は、本体ケース４の天面に位置するカバー部１６に、上下方向に貫通した円柱形状の孔である。この第１のガイド部１１の一方側の円形の開口、つまり下方側の円形の開口から、点光源である円柱形状の発光部１２が挿入される。点光源である発光部１２の１例は、ＬＥＤであり、水平断面形状は、円形であり、水平断面積は、第１のガイド部１１の水平断面積より僅かに小さいものである。
【００２４】
第２のガイド部１３は、第１のガイド部１１の内周面から外方に窪むと共に、第１のガイド部１１における他方側、つまり上方側が四角形状に開口した穴である。すなわち、第１のガイド部１１である上下方向に貫通した円柱形状の孔と、第２のガイド部１３である上方が開口した四角柱形状の穴とが、第１のガイド部１１の円柱周面と第２のガイド部１３の四角柱側面とで、結合したものである。なお、円柱形状の発光部１２の先端は、第２のガイド部１３の穴の底より上部に位置する構成である。
【００２５】
シート部１４は、平板形状で、第１のガイド部１１および第２のガイド部１３の他方側の開口、つまり上方側の開口を塞ぐように、カバー部１６の天面に固定されている。このシート部１４は、第２のガイド部１３の他方側の開口、つまり上方側の開口に対向した部分に発光部１２の光を透光する透光部１５を備えている。この透光部１５は、第２のガイド部１３の他方側の開口、つまり上方側の開口の大きさより小さい四角形状である。シート部１４の材質の１例は、透明のポリカーボネートであり、透光部１５以外は本体ケースと同色に塗装されている。透光部１５には、白色のメジウムを印刷している。このメジウムによって、発光部１２の光を拡散する。
【００２６】
カバー部１６の材質の１例は、ポリスチレン樹脂である。第１のガイド部１１および第２のガイド部１３の内周面は、鏡面状で、色は白色系である。
【００２７】
以上の構成より、発光部１２の照度が小さい場合にも、点光源である発光部１２の大部分の光が直接、シート部１４の透光部１５を透光するもので無く、点光源である発光部１２の大部分の光が、第１のガイド部１１および第２のガイド部１３の内周面で反射してシート部１４の透光部１５を透光するものである。
【００２８】
これらの結果により、透光部１５の一部、つまり中央部のみが光ることなく、透光部１５の全体が光るので、発光表示部７の視認性の更なる向上ができるものである。
【００２９】
また、第２のガイド部１３の他方側の開口の大きさは、第１のガイド部１１の他方側の開口の大きさより小さい構成としたものである。すなわち、第２のガイド部１３の上方側の四角形状の開口の大きさは、第１のガイド部１１の上方側の円形状の開口の大きさより小さい構成としたものである。本体ケース４における天面から見ると、第１のガイド部１１および第２のガイド部１３が結合した開口は、鍵穴形状である。
【００３０】
これにより、点光源である発光部１２の大部分の光が、第１のガイド部１１の内周面で反射し、この反射した光の一部が第２のガイド部１３の内周面に反射する。このように、
第２のガイド部１３の内周面より反射面積の大きい第１のガイド部１１の内周面から、
第１のガイド部１１の内周面より反射面積の小さい第２のガイド部１３の内周面へ反射するので、第２のガイド部１３の内周面全体に反射させることができる。結果として、透光部１５全体をより均一に透光できる。
【００３１】
また、第２のガイド部１３の他方側の開口の大きさは、発光部１２の断面積より小さい構成としたものである。すなわち、第２のガイド部１３の上方側の四角形状の開口の大きさは、発光部１２の円形状の断面積より小さい構成としたものである。ここで、透光部１５は、第２のガイド部１３の上方側の開口の大きさより小さい四角形状である。
【００３２】
これにより、点光源である発光部１２の光が、第１のガイド部１１および第２のガイド部１３の内周面で反射し、発光部１２の円形状の断面積より小さい透光部１５へ反射させるので、透光部１５全体をより均一に透光できる。
【００３３】
また、第１のガイド部１１は、一方側の開口から他方側の開口へ徐々に広がったものである。すなわち、第１のガイド部１１は、下方側の開口から上方側の開口へ徐々に広がったものである。
【００３４】
これにより、第１のガイド部１１の下方から点光源である発光部１２の光が、上方へ反射し易くなるものである。
【００３５】
また、第２のガイド部１３は、一方側から他方側の開口へ徐々に広がったものである。
【００３６】
すなわち、第２のガイド部１３は、下方側から上方側の開口へ徐々に広がったものである。
【００３７】
これにより、第１のガイド部１１の下方から点光源である発光部１２の光が、上方へ反射し易くなるものである。
【００３８】
また、図７、８に示すように、発光表示部７を複数設ける場合に、第２のガイド部１３を一直線に並べ、これら第２のガイド部１３を中心に、第１のガイド部１１が互い違いに位置する構成としたものである。
【００３９】
具体的には、複数の発光表示部７を本体ケース４における前後方向に一直線に並べる場合は、まず、一方の発光表示部７ａである第１のガイド部１１ａと第２のガイド部１３ａとが本体ケース４における左右方向に隣り合うように設ける。そして、第１のガイド部１１ａを本体ケース４における右側に、第２のガイド部１３ａを本体ケース４における左側に設ける。次に、他方の発光表示部７ｂである第１のガイド部１１ｂと第２のガイド部１３ｂとが本体ケース４における左右方向に隣り合うように設ける。そして、第１のガイド部１１ｂを本体ケース４における左側に、第２のガイド部１３ｂを本体ケース４における右側に設ける。ここで、一方の発光表示部７ａである第２のガイド部１３ａにおける上方側の開口の中心と、他方の発光表示部７ｂである第２のガイド部１３ｂにおける上方側の開口の中心とを、本体ケース４における前後方向に一直線に並べるものである。
【００４０】
ここで、第１のガイド部１１ａの下方側の円形の開口から、点光源である円柱形状の発光部１２ａが挿入され、第１のガイド部１１ｂの下方側の円形の開口から、点光源である円柱形状の発光部１２ｂが挿入されている。また、第２のガイド部１３ａの上方側の開口に対向した部分に発光部１２ａの光を透光する透光部１５ａを備え、第２のガイド部１３ｂの上方側の開口に対向した部分に発光部１２ｂの光を透光する透光部１５ｂを備えている。
【００４１】
このように、一方の発光表示部７ａである第２のガイド部１３ａにおける上方側の開口の中心と、他方の発光表示部７ｂである第２のガイド部１３ｂにおける上方側の開口の中心とを結ぶ中心線を境に、隣接する一方の発光表示部７ａである第１のガイド部１１ａと、他方の発光表示部７ｂである第１のガイド部１１ｂとを左右交互に設けるものである。
【００４２】
すなわち、一方の発光表示部７ａである第２のガイド部１３ａにおける上方側の開口の中心と、他方の発光表示部７ｂである第２のガイド部１３ｂにおける上方側の開口の中心とを結ぶ中心線を境に、隣接する一方の発光表示部７ａである発光部１２ａと、他方の発光表示部７ｂである発光部１２ｂとを左右交互に設けるものである。
【００４３】
仮に、従来のように、発光部と対向した部分に透光部を有すると共に、透光部の面積が、発光部の水平断面積より小さい場合には、複数の透光部を隣接させると、発光部を配置できる間隔が必要となる。そして、隣り合う透光部の中心間の距離は、隣り合う発光部の中心間の距離と同じになる。つまり、隣り合う透光部の中心間の距離が決まるので、隣り合う透光部の距離は、透光部の大きさによって決まる。結果として、透光部の面積が、発光部の水平断面積より小さくなればなるほど、隣り合う透光部の距離は大きくなる。
【００４４】
一方、本願の実施の形態１のような構成による配置にすることにより、発光部１２ａ、１２ｂは隣接せず、隣り合う透光部１５ａ、１５ｂの中心間の距離は、隣り合う発光部１２ａ、１２ｂの中心間の距離に制限されないので、複数の透光部１５を従来のものに比べ、近接して備えることができる。
【００４５】
また、隣り合う透光部１５ａ、１５ｂが近接しても、隣り合う発光部１２ａ、１２ｂは、一方の発光表示部７ａである第２のガイド部１３ａにおける上方側の開口の中心と、他方の発光表示部７ｂである第２のガイド部１３ｂにおける上方側の開口の中心とを結ぶ中心線を境に位置するので、発光部１２ａの光が、発光部１２ｂ発光部に漏れることを抑制できる。
【産業上の利用可能性】
【００４６】
以上のように本発明は、本体ケースに空気調和手段と、この空気調和手段の運転モードを表示する発光表示部とを設け、この発光表示部は、孔である第１のガイド部と、この第１のガイド部の一方側の開口から挿入される点光源である発光部と、一方側が塞がり他方側が開口した穴である第２のガイド部と、前記第１のガイド部と前記第２のガイド部との他方側の開口を塞ぐシート部とから形成し、前記第２のガイド部の内周面は前記第１のガイド部の内周面と連通し、前記シート部は、前記第２のガイド部の他方側の開口と対向した部分に前記発光部の光を透光する透光部を備えたことを特徴とする空気調和機であり、空気調和機の発光表示部の視認性の更なる向上ができるものである。
【００４７】
すなわち、第２のガイド部の内周面は第１のガイド部の内周面と連通し、シート部は、第２のガイド部の他方側の開口と対向した部分に発光部の光を透光する透光部を備えている。
【００４８】
これにより、発光部の照度が小さい場合にも、点光源である発光部の大部分の光が直接、シート部の透光部を透光するもので無く、点光源である発光部の大部分の光が、第１のガイド部および第２のガイド部の内周面で反射してシート部の透光部を透光するものである。
【００４９】
これらの結果により、透光部の一部、つまり中央部のみが光ることなく、透光部の全体が光るので、発光表示部の視認性の更なる向上ができるものである。
【００５０】
従って、家庭用や事務所用などの、空気調和機である空気清浄機、除湿機、加湿機、脱臭機として活用が期待されるものである。
【符号の説明】
【００５１】
１      空気調和機
２      吸気口
３      排気口
４      本体ケース
５      空気調和手段
６      操作部
７      発光表示部
７ａ    発光表示部
７ｂ    発光表示部
８      空気清浄手段
９      空気清浄フィルター
１０    送風手段
１１    第１のガイド部
１１ａ  第１のガイド部
１１ｂ  第１のガイド部
１２    発光部
１２ａ  発光部
１２ｂ  発光部
１３    第２のガイド部
１３ａ  第２のガイド部
１３ｂ  第２のガイド部
１４    シート部
１５    透光部
１５ａ  透光部
１５ｂ  透光部
１６    カバー部
【図１】
0005923683.tif 000002
【図２】
0005923683.tif 000003
【図３】
0005923683.tif 000004
【図４】
0005923683.tif 000005
【図５】
0005923683.tif 000006
【図６】
0005923683.tif 000007
【図７】
0005923683.tif 000008
【図８】
0005923683.tif 000009